(57)【要約】【課題】従来技術による椅子またはシートでは着座したときに自重による荷重が大腿部にかかることによって大腿部の血流の低下を招きエコノミー症候群や不快感や下肢の疲労感などといった人体に対する悪影響の要素の一つとなった。大腿部の血流の低下の改善を試みた椅子やシートはあるが、大腿部全体としての血流を考慮した場合には不十分であり本発明のように大腿部の血流の確保用の溝を備えるシートのように構造的手段で解決しようとしたものでは無かった。【解決手段】着座時に大腿部と椅子の接触部分に波型または凹凸の構造を持つシートの凹部分を利用することによって連続した溝を備え、その溝の中に血管やリンパ管を退避させて一定の血流を確保する構造を持つシートを提供する。【選択図】図１
2009039486.tif 000002
【特許請求の範囲】
【請求項１】
人間が座った際に痛みや不快感を覚えない高さと幅を持つ凹凸が５ミリメートルから１０センチメートル以内の間隔で同一方向へ平行に連続して備えられていているシーとであって、座る者の荷重を凸部で受けて凹部に連続した非加重の空間を作ることにより体液や血流の循環路を確保することを目的としたシート。
【発明の詳細な説明】
【技術分野】
【０００１】この発明は、椅子に使用するシートに関するもので、着座した人が自身の荷重で血流や体液の循環を悪化させてしまうことを防ぐ形状を持つことを特徴としている。【０００２】更に詳細には荷重を避けるための連続した溝をシートに備えて、その溝が作る空間を利用して一定量の血流が確保できるようにすることを目的とした構造を備えるシートに関するものである。着座姿勢を取るに際してこのシートを荷重部に備えることで自己体重の負荷が原因で起こる血流や体液循環の劣化を軽減させることができて、着座した人が起立時に持つ血流や体液循環の量に近づけることを可能とするシートの製作方法に関するものである。
【背景技術】
【０００３】従来技術により作成されたシートは図８の６４に示すように、人が椅子に座った時に椅子またはシートと体の接触面が平面であることからその接触面に対して人の体重が全面的にかかることになる。図８の６４に示す部分を拡大した模式図を図９の６５に示したのでこれに沿って従来技術の問題点を説明する。【０００４】人の自重は図９の４１，４２の矢印で示される方向への荷重となって作用し、従来技術の椅子またはシートに押し付けられるような状態を起こす。このことによって椅子またはシートとの接触面においては血管、リンパ管が圧力を受けて扁平化して体液循環の低下、静脈、動脈の血行不良などが人体への影響として起こる場合がある。【０００５】他に考えられる悪影響には接触面の汗腺が塞がれて起こる局部発汗不全もあるが、これについては椅子またはシートの素材に通気性の良いものや科学的に工夫された形状の材料を使用することによって従来技術で補えるものと考えるので本発明には包括しない。【０００６】図９の６５に示す点線に囲まれた図は、人が椅子またはシートに座った際の静脈、動脈の血行不良を起こす原因の一つを物理的に説明するために図８の６４の部分を拡大して模式図として表したものである。寝ている人の自重が図９の４１、４２に示す矢印方向に作用すると、図９の３０に示す椅子またはシートに対して直接接触する皮膚１００を境界としたところに圧力がかかり図９の１０４に示される血管が図９の１０１や１０５のように圧迫されて扁平化を起こし血流が低下させられる。このように圧迫により静脈並びに動脈の血流が低下することが疲労回復の阻害因子となることや人体の健康に関して好ましいことでは無いということは一般社会通念上広く知られている。【０００７】従来このことを解決するための技術としては、スポンジ性の柔らかい素材を加工して点状の凹凸を付けたものや網目状の素材を椅子またはシートと人の体との接触部分にあたるようにしたもの等がある。しかし何れの場合も人体の血流を確保するための連続した空間を作ることを明確な目的とした技術により作られたものでは無いので、本発明のように一定の血流を確保する凹型の溝を持つ構造の椅子またはシートは無かった。
【発明の開示】
【発明が解決しようとする課題】
【０００８】従来技術の実施例である図８の着座方法では、体重を支えるために接触した人体の部分には必ず自重がかかり図９の４１、４２に示すように血管への荷重となり血管が偏平化させられて血行が阻害される箇所が発生し、そのことに起因する疲労回復の低下や他の人体に対する悪影響を明確に解決できないという課題があった。【０００９】点状に人体の体重を支える形状や素材の反発力を低下させるなどの加工を施した椅子またはシートを使用して血流の改善を図ろうとしたものはあるが、何れも局所的な効果はあっても連続した溝で血流を確保するという概念で製作されたものではないために大腿部全体の血流を改善させるという観点からは所望の効果を得られなかった。その理由としてスポンジのような柔らかい素材で作られた点または線状の加工が施されたものは素材の反発力に対して体重の方が上回り、素材を体自重で押しつぶしてしまうこととなり血流を確保するだけの空間は作られず平面的椅子またはシートに着座したのと同じような荷重がかかってしまい血流が阻害されてしまう。【００１０】低反発と言われるような柔らかい素材で作られたものも、自重による圧迫感を感じさせないということが主な目的で、本発明のように血流の確保を明確に意図した溝を備えて作られるものとはその性格が全く異なるものである。【００１１】従来技術は血流の改善の手段としていずれも材質の硬度または弾力性または連続していない点状の凹凸または網目状や格子状にするなどに限られていて、血流の確保を連続した溝で図るという本発明に比較すると十分な効果を得ることができないことが課題であった。そこで本発明は従来技術には無い、着座した人体の大腿部の血流を最大限に確保する構造を持つシートを提供することを課題とする。
【課題を解決するための手段】
【００１２】以上の課題を解決するための手段として本発明は、シートに対して図１２、図１３、図１４のような素材を使用して、凹凸を等間隔に平行に連続して持つ形状を特徴とする図１５に示すようなシートであり、図１のような実施形態を持つ。凹凸を形成する素材は人体に危害や不快感を与えず着座時の体重を支えるのに適度な強度と弾力を備えていることが必要である。
【発明の効果】
【００１３】本発明によれば図１１の皮膚の状態１００に示すように凹凸で形成されたシートの凸の部分に接する大腿部下部の皮膚に体重が強くかかる結果、凹の部分に接する皮膚は凹の部分が形成する溝に垂れさがるように入り込んでその部分にかかる荷重は極端に弱くなる。【００１４】図１１の６７の点線枠内は皮膚１００が変形している様子を示しているが、これは凸の部分に接触して圧力を受けている皮膚以外は図１１の１１に示す空間に押しよけられて入り込む。着座者の大腿部の自重のほとんどは図１１の１０の凸部分で受ける構造になっているので図１１の１１に示す凹部分内にかかる大腿部の荷重は軽減される。血管やリンパ管は凸の部分１０で押されるように凹の空間図１１の１１に移動させられるが図１１の１１に示す凹の部分は大腿部の自重の影響を受けずらい空洞の溝になっているため移動した血管は図１１の１０７に示すように本来の形状と血流を維持できることと、図１に示すように凹部１１と凸部１０は同一方向へ連続した形状を備えているので凹部は連続した空洞の溝となり着座者１は大腿部の血管並びにリンパ管の連続した通り道を得ることができる。
【発明を実施するための最良の形態】
【実施例】
【００１５】この発明の実施形態を、図１に示す。図１の５は本発明による構造を持つ椅子またはシートで、図１の１０の黒い帯状の線が凸部を示し、図１の１１は図１の１０の凸部と凸部の狭間となって作られる凹部を示している。図１の１０の凸部と凸部の間隔は５ミリメートルから１０センチメートルの範囲の中にあって、形成される凹部１１が十分な血流の確保をできる溝になるように配置する。図１の１０の凸部の高さは人体が不快感や痛みを覚えない硬度であって高さは６ミリメートルから５センチメートルの範囲の中で設定する。製作実施例としては図１２に示すように適度の硬さを持つ素材５１を成形して５０のように凸部を持たせた一体型の形状を有するもの、図１３に示すように素材５３を波型に変形加工して凸部５２を作り所望の凹凸を持たせたもの、図１４に示すように基底材料５５に対して適切な間隔で素材５４を並べて装着したものがある。【００１６】製作例は図１５に示すような形状を持ち、素材５７を人体皮膚に適した素材５６で覆うなどして実用化を促進することもできる。図１３の５３に示す基材は加熱することにより任意の強度と形状を設定できる素材を使用して任意の大きさの波型に成型ができて凸部５２の形成が容易な素材である。
【実施形態の効果】
本発明の実施例である図１は椅子の着座部分３０に本発明で作られたシート２０を設置してその上に人１が座り大腿部２がシートに接している様子を頭頂部から見下ろした状態を表現した模式図である。更に図１に示す実施形態を図２では正面図、図３では側面図として実施形態を表現している。加えて実施形態の効果がよくわかるように拡大したい部分を図６の正面図に点線枠で示した６２と図７の側面図に点線で示した６３を使用して実施形態の効果の説明を行う。図６の６２の部分を更に詳細に、シート２０と人体の大腿部２の接触部分を模式化して示したのが図１０でありシートに備えられている凹凸に大腿部２が食い込むように接触している様子を表現した図である。図１１は図１０の６６に示す点線枠部分を拡大して大腿部２の内部を模式化して示した図である。
【００１７】この実施形態によれば図１１の６７の点線枠の中に示すように、図１１の４１、４２に示す荷重に対して図１１の１０の凸部分がその荷重を受けて凹の部分図１１の１１に荷重度合の弱い空間が形成されることによりできる血管、リンパ管の退避空間が連続することによって溝となり、大腿部が一定の血流を確保する空間となる。従来技術によって作られたシートの実施例である図９の状態に比較すると大腿部に一定の血流が確保される空間が溝としてできていることがわかる。
【産業上の利用可能性】
【００１８】本発明の椅子またはシートに着座すると、大腿部に持続した一定の血流が確保されるため従来技術では得られなかったエコノミー症候群の予防や、爽快感を得ることができ、この効果を求める人達に広く利用されることが期待できる。製造に際しては構造が単純なために低コストでの製作が可能であり製品として販売する時の価格が、従来技術のものに比較して大きな差がつかないことも一般の人が簡単に購入できる要素となって社会で広く利用されることが期待できる。加えて本発明による椅子またはシートが大腿部に一定の血流を確保すると言う性質を持つことから医療や老人介護などの分野に応用されて社会に貢献する可能性も持つ。
【本発明の説明で使用した語句の定義】
【００１９】        ［シート］合成樹脂、ビニール、布、または紙で出来ているもので椅子に敷いたりかぶせたりするもののこと。        ［大腿部］人体の腰から膝までの部分で本発明では椅子またはシートとの接触面を指す。        ［椅子］いす並びにイスも同義語とした坐るための道具を指し、一般にチェア、ベンチ、シート、スツール、ソファと呼ばれているもの        ［新陳代謝］身体の古い細胞が新しい細胞へと生まれ変わること。        ［血流］血液が心臓のポンプ機能によって押し出され、体内各所の細胞や臓器を回って、心臓に戻ってくる一連の血液循環のこと。        ［体循環］血液が体内を巡り人体の各組織に酸素や栄養を補給し、組織から排泄された炭酸ガスや老廃物を運び去る役割をなすこと。        ［血管］生体内で血液を運搬するための管で動脈、静脈、毛細血管の３種類をいう。        ［体液］人体に含まれる水分の総称をさし、血液の中の赤血球などの細胞成分を除いた血漿と細胞内の水分。        ［リンパ管］毛細血管からしみでた血漿がリンパ管に入り込んだもので、古い細胞や血球のかけらなどの老廃物や腸管で吸収された脂肪などを運ぶ役割をもつもの。        ［エコノミー症候群］長時間下肢を動かさないことで血流が低下して血管内に血栓が出来ること。        ［非荷重空間］図３の４に示す凸部と凸部の間にできる凹形の空間。
【図面の簡単な説明】
【００２０】
【図１】本発明実施例の椅子に着座位での実施形態を示す平面図である。
【図２】本発明実施例の椅子に着座位での実施形態を示す正面図である。
【図３】本発明実施例の椅子に着座位での実施形態を示す側面図である。
【図４】従来技術の椅子に着座位での実施形態を示す正面図である。
【図５】従来技術の椅子に着座位での実施形態を示す側面図である。
【図６】本発明実施例の椅子に着座位での実施形態を示す正面図である。
【図７】本発明実施例の椅子に着座位での実施形態を示す側面図である
【図８】図４の点線で囲まれた四角形６０の内、大腿部と椅子との接触部分を拡大したものである。
【図９】図８の点線で囲まれた四角形６４の部分の拡大図である。
【図１０】図６の点線で囲まれた四角形６２のうち、大腿部と椅子との接触部分を拡大したものである。
【図１１】図１０の点線で囲まれた四角形６６の部分の拡大図である。
【図１２】形成用基材を利用しての製作例を示す図である。
【図１３】基材そのものを変形させての製作例を示す図である。
【図１４】２種類の材料を使用しての製作例である。
【図１５】完成例である。
【符号の説明】
【００２１】    １    椅子に着座した状態の人体。    ２    椅子に着座した状態の人体のうちで大腿部を示す。  １０    本発明により作られたシートの凸部。  １１    本発明により作られたシートの凹部。  ２０    本発明で作られたシート。  ３０    本発明の説明用椅子の着座部分  ３１    本発明の説明用椅子の背もたれ部分  ４０    視点方向  ４１    人体にかかる自重の方向を示す矢印。  ４２    人体にかかる自重の方向を示す矢印。  ５０    人体内の正常な血管。  ５１    人体内の圧力を受けて変形した血管。  ５５    従来技術のシーツまたは敷き布団を示す図。  ６０    従来技術での着座状況を拡大して説明する部分を示す点線枠の正面位置。  ６１    従来技術での着座状況を拡大して説明する部分を示す点線枠の側面位置。  ６２    本発明を実施した状況を拡大して説明する部分を示す点線枠の正面位置。  ６３    本発明を実施した状況を拡大して説明する部分を示す点線枠の側面位置。  ６４    従来技術の椅子と大腿部との接触部分の情況を説明するために拡大する領域を示す四角形の点線。  ６５    大腿部の状態を示すために６４の四角形部分を拡大した模式図。  ６６    本発明シートを使用して椅子と大腿部との接触部分の情況を説明するために、拡大して表示する領域を示す点線。  ６７    大腿部の状態を示すために６６の四角形部分を拡大して大腿部の状態を示す模式図。１００    人体の大腿部の皮膚。１０１    圧力を受けて強く偏平した血管を示す。１０２    圧力を受けて若干偏平した血管を示す。１０３    圧力をほとんど受けておらず、正常に近い状態の形状を持つ血管を示す。１０４    圧力を受けておらず、正常な状態の形状を持つ血管を示す。
【図１】
2009039486.tif 000003
【図２】
2009039486.tif 000004
【図３】
2009039486.tif 000005
【図４】
2009039486.tif 000006
【図５】
2009039486.tif 000007
【図６】
2009039486.tif 000008
【図７】
2009039486.tif 000009
【図８】
2009039486.tif 000010
【図９】
2009039486.tif 000011
【図１０】
2009039486.tif 000012
【図１１】
2009039486.tif 000013
【図１２】
2009039486.tif 000014
【図１３】
2009039486.tif 000015
【図１４】
2009039486.tif 000016
【図１５】
2009039486.tif 000017